(57)【要約】【課題】  電源をもたないコインロッカーにおいて不正な抜き取りを防止する。【解決手段】  物理キーを介して施開錠を行うロック装置１１を備えるコイン回収トレイにおいて、トレイ本体２０の重量を計測する計量センサ装置３０を設ける。ロック装置１１のロック片１４が施錠状態のときに、開錠動作を禁止するソレノイド装置１５と、計量センサ装置の計測データを外部装置６０に対して送出するデータ送出部３５とを設ける。ソレノイド装置１５、計量センサ装置３０等に外部から電源を供給する給電端子４１と、データ送出部３５から外部装置６０に対して計測データを送出するデータ用端子４４とを設ける。ソレノイド装置１５は、データ用端子４４を介して外部装置６０に対して計測データの送出があったときに限り、ロック片１４の拘束を解除する。【選択図】    図１
0003178358.tif 000002
【実用新案登録請求の範囲】
【請求項１】
コインロッカーの最下部に引出可能に配され、物理キーを介して施開錠を行うロック装置を備えるコイン回収トレイにおいて、
回収コインを集積するためのトレイ本体と、
このトレイ本体の重量を計測する計量センサ装置を設けるとともに、
前記ロック装置を構成するロック片が施錠状態になったときに、その開錠動作を禁止するソレノイド装置と、
前記計量センサ装置の計測データを外部装置に対して送出するデータ送出部とを設ける一方、
該データ送出部、前記ソレノイド装置、前記計量センサ装置に対して外部から一時的に電源を供給する給電端子と、
前記データ送出部から前記外部装置に対して前記計測データを送出するデータ用端子とを設け、
前記ソレノイド装置は、当該データ用端子を介して前記外部装置に対して前記計測データの送出があったときに、前記ロック片の開錠動作の禁止を解除することを特徴とするコインロッカー用のコイン回収トレイ。
【請求項２】
トレイ本体の重量を計測する計量センサ装置は、ロードセル式の電子秤を用いることを特徴とする請求項１記載のコインロッカー用のコイン回収トレイ。
【請求項３】
給電端子とデータ用端子は、携帯電話装置をホストパワード装置として電源供給を行うＵＳＢ端子であることを特徴とする請求項１または請求項２記載のコインロッカー用のコイン回収トレイ。
【考案の詳細な説明】
【技術分野】
【０００１】
本考案は、電源をもたない簡易なコインロッカーに用いるためのコイン回収トレイに関する。
【背景技術】
【０００２】
利用者が多い都市の鉄道駅、地下鉄駅、商業施設等に設置するコインロッカーは、ロッカー自体にバッテリ等の電源装置を設けることによって、延長料金を徴収可能としている。
【０００３】
しかしながら、利用客が少ない地方の鉄道駅や、設置施設側の利用時間が予め決まっている各種施設、例えばプール、スキー場、ゴルフ場、図書館等に設置するコインロッカーは、電源装置をもたない。装置コストを抑えて、各種施設がコインロッカーを導入しやすいようにするためである。
【０００４】
電源装置をもたないコインロッカーは、コインの投入部、コインの投入を確認するコイン投入確認部、庫体の開閉扉に物理的キーを用いて施開錠を行うロック装置を備える。このようなコインロッカーとしては、従来、例えば下記特許文献１がある。
【０００５】
図４は、従来のコインロッカーを例示するもので、コイン投入部１から利用代金として投入された硬貨は、物理キーによる開閉扉２の施錠操作によって、最下部にあるコイン回収トレイ３に落ちて集められる。コイン回収トレイ３は、フェース面に施開錠用の鍵穴４をもっている。
【０００６】
鍵穴４に物理キーを差し込んで操作すればコイン回収トレイ３を施開錠できるので、コインロッカーの設置者、管理者は、定期的にコイン回収トレイ３のロックを開錠して引き出し、コイン回収トレイ３内に集まった硬貨を回収する。通常、コイン回収トレイ３は化粧板等によって外部からは見えないようになっている。
【先行技術文献】
【特許文献】
【０００７】
【特許文献１】特開平０９−０４９３５５号
【考案の開示】
【考案が解決しようとする課題】
【０００８】
ところで、従来のコイン回収トレイは、不正な硬貨の抜き取りが行われる余地を残していた。
【０００９】
コインロッカーが電源装置をもっていれば、投入されたコイン数をデータとして記録することが出来るが、電源をもっていない場合は、コインの投入数をメモリに保存することも出来ないため、実際には、コイン回収トレイを開錠して硬貨を集める担当者の責任に委ねられる。
【００１０】
不正な硬貨の抜き取りを防止するため、通常は、管理規定等によって、設置者または管理者側の責任者（担当者）と施設者側の責任者（担当者）が双方立合のもとでコイン回収トレイを開錠し、集まっているコイン数を確認し合って回収するようにしている。
【００１１】
しかしながら、実際には、施設者側の責任者（担当者）が硬貨回収に立ち会わない場合も少なくなく、設置者・管理者側の責任者（担当者）が勝手に一部を抜き取る可能性が残されていた。
【００１２】
そこで、本考案の目的は、電源装置をもたないコインロッカーにおいて、不正な抜き取り行為を防止することにある。
【課題を解決するための手段】
【００１３】
前記目的を達成するため、本考案に係るコイン回収トレイは、コインロッカーの最下部に引出可能に配され、物理キーを介して施開錠を行うロック装置を備えるコイン回収トレイを技術的前提として、回収コインを集積するためのトレイ本体と、このトレイ本体の重量を計測する計量センサ装置を設けるとともに、前記ロック装置を構成するロック片が施錠状態になったときに、その開錠動作を禁止するソレノイド装置と、前記計量センサ装置の計測データを外部装置に対して送出するデータ送出部とを設ける一方、該データ送出部、前記ソレノイド装置、前記計量センサ装置に対して外部から一時的に電源を供給する給電端子と、前記データ送出部から前記外部装置に対して前記計測データを送出するデータ用端子とを設け、前記ソレノイド装置は、当該データ用端子を介して前記外部装置に対して前記計測データの送出があったときに、前記ロック片の開錠動作の禁止を解除する（請求項１）。
【００１４】
本考案に係るコイン回収トレイは、コイン回収時に、外部から電源供給を受けた計量センサ装置を介して、コインが入ったトレイ本体の重量を計測し、データ用端子を介して外部装置に計測データを送出した後、ロックを解除して引き出し可能とする。コインが入ったトレイ本体の重量計測データを外部装置へ送出した後でなければ、コイン回収トレイを引き出すためのロックを解除できないので、不正なコインの抜き取りは不可能となる。
【００１５】
トレイ本体の重量を計測する計量センサ装置は、ロードセル式の電子秤を用いる場合がある（請求項２）。
【００１６】
ロードセル式の電子秤は、コイン一個一個の重みに起因するトレイ本体の重量変化を約正確に計測でき、また構成が簡易なため装置コストも抑えることが出来る。
【００１７】
給電端子とデータ用端子は、携帯電話装置をホストパワード装置として電源供給を行うＵＳＢ端子とする場合がある（請求項３）。
【００１８】
給電端子とデータ用端子は別々に設けても良い。しかしながら、携帯電話装置をホストパワード装置とするＵＳＢ端子を用いれば、給電端子とデータ用端子を一個の端子で構成できるので、装置を単純化し、製造コストを抑えることが出来る。
【００１９】
携帯電話装置（スマートフォンを含む）は、コイン回収トレイの電子機器に対して電源を供給するとともに、データ用端子を介して入力した重量の計測データを自身のメモリ装置に格納する。
【考案の効果】
【００２０】
本考案に係るコイン回収トレイによれば、電源装置をもたない簡易なコインロッカーにおいて、不正な抜き取り行為を防止することが出来る。外部装置に対してトレイ本体の重量の計測データを送出した後でなければ、コイン回収トレイのロックを解除できないからである。
【図面の簡単な説明】
【００２１】
【図１】実施形態に係るコイン回収トレイを例示するブロック図である。
【図２】実施形態に係るロック装置を例示する図である。
【図３】実施形態に係るコイン回収トレイの外観構成を例示する断面図である。
【図４】一般的なコイン回収トレイの配設状態を例示する図である。
【考案を実施するための形態】
【００２２】
図１に示すように、本考案に係るコイン回収トレイは、鍵穴４に差し込んだ物理キーを介して施開錠するロック装置１１を備えるとともに、回収コインを集積するためのトレイ本体２０と、このトレイ本体２０の重量を計測する計量センサ装置３０を備える。
【００２３】
また前記ロック装置１１を構成するロック片１４が施錠状態になったときに、その開錠動作を禁止するソレノイド装置１５と、計量センサ装置３０の計測データを外部装置６０に対して送出するデータ送出部３５とを備える。
【００２４】
４１は、データ送出部３５、ソレノイド装置１５、計量センサ装置３０に対して外部から一時的に電源を供給する給電端子、４４は、データ送出部３５から前記外部装置６０に対して計測データを送出するデータ用端子である。
【００２５】
ソレノイド装置１５は、データ用端子４４を介して外部装置６０に対して計測データの送出があったときに、ロック片１４の開錠動作の禁止を解除する。
【００２６】
以下、各部を説明する。
【００２７】
まず、コイン回収トレイを施開錠するロック装置１１は、例えば図２に示すように、物理キーを差し込んで回動させるキーシリンダー１３と、このキーシリンダー１３を介して作動するロック片（閂）１４とを備え、ロック片１４が箱受（ストライクボックス）Ｑに入ったときに、ソレノイド装置１５が、ロック片１４の開錠動作を禁止するよう構成することが出来る。
【００２８】
ロック片１４が上下方向に動くものであるときは、ソレノイド装置１５の進退ピン１５−１は、単純にロック片１４の上方近傍に位置させて上方への動きを拘束すればよい。ロック片１４が進退動するタイプのもの（デッドボルト）であるときは、ソレノイド装置１５の進退ピン１５−１を、例えば、ロック片１４に設けた凹溝または孔（図示せず）に嵌入させて、ロック片１４の後退動を拘束すればよい。
【００２９】
図３に示すように、本考案に係るコイン回収トレイは、本体ケースＫの中にトレイ本体２０を配する。トレイ本体２０は上面が開放された箱形を呈する。
【００３０】
トレイ本体２０は、例えば、コインロッカーの正面からみたときに最奥部となる部分の上端部に、断面逆Ｕ字状の係合部２１を設け、この係合部２１を本体ケースＫに係着させて、底面２２を本体ケースＫの底面から僅かに離隔させて配する。コインロッカーの正面からみたときに手前側となるトレイ本体２０の端縁２３は、荷重を支持することがないよう本体ケースＫの隔壁等から僅かに離隔させて配しておく。
【００３１】
トレイ本体２０の重量を計測する計量センサ装置３０は、例えばロードセル３０−１を用いることができる（図３）。ロードセル３０−１を用いる場合、計量センサ装置３０は、例えば、トレイ本体２０の前方に形成した断面逆Ｌ字状部の水平面２４の下側に当該水平面２４と当接させつつ配する。
【００３２】
トレイ本体２０は、最奥部に形成した係合部２１によって後端が支持されているので、トレイ本体２０に集まったコインの重量は、前方に形成した水平面２４を介して計量センサ装置３０に伝達され、歪みゲージの抵抗変化として計量される。
【００３３】
ロードセル３０−１は、経済的装置でありながら１ｇ以下の重量を精度高く計測できる。計測データに基づくコイン枚数の換算誤差は殆ど生じない。コイン枚数への換算処理は、コイン回収トレイ側で行っても良いし、外部装置６０側で行っても良い。
【００３４】
コインロッカーの正面からみたときに手前側となる本体ケースＫの内部には、データ送出部３５、ソレノイド装置１５、計量センサ装置３０等の電子部品類Ｖを配する。
【００３５】
本考案に係るコイン回収トレイは、これらの電子部品類Ｖへ電源を供給する給電端子４１と、データ送出部３５から外部装置６０に対して計測データを送出するデータ用端子４４を設けるが、これらの端子（４１、４４）は別々の端子として設けても良いし、一個のＵＳＢ端子であっても良い。操作性の利便や構造の単純化のため、好ましくは、一個のＵＳＢ端子を設けておけばよい。
【００３６】
図１に戻り、符号５０は、外部装置６０からのコマンドに基づいて計量センサ装置３０を駆動させるホスト装置確認部である。計量センサ装置３０は、すでに説明したように、ロードセル３０−１を用い、このロードセル３０−１の歪みゲージの抵抗変化を計量部３０−２が計測して、データ送出部３５へ送出する。
【００３７】
データ送出部３５は、計量部３０−２から送られた重量の計測データをそのまま外部装置へ送出しても良いし、重量の計測データとともにコイン枚数に換算した金額値データを外部装置６０へ送出しても良い。
【００３８】
５２は、データ送出部３５がデータ用端子４４を介して外部装置６０へ計測データ（重量データ等）を送出した後、処理済信号を受けて計量部３０−２とソレノイド装置１５を初期化する初期化部である。
【００３９】
初期化部５２からの信号に基づき、計量部３０−２に格納されたデータ値は初期化され、ソレノイド装置１５は進退ピン１５−１（図２参照）を後退させてロック片１４の拘束を解除する。ロック片１４は、開錠禁止の状態が解除されるので、物理キーを開錠しコイン回収トレイを引き出すことが可能となる。
【００４０】
コインの回収を終えた後は、再びコイン回収トレイを押し込んでセットし、物理キーを使って施錠する。このとき、ソレノイド装置１５の進退ピン１５−１（図２参照）を前進させて、ロック片１４の開錠動作を禁止（拘束）するには、例えばソレノイド装置駆動用のスイッチボタンをコイン回収トレイのフェース面に設けておくか、コイン回収トレイを収納する部位の適宜箇所にリミットスイッチ等を設けておく。初期化部５２が作動した後、所定秒数後に進退ピン１５−１をオートマチックに駆動させてもよい。ソレノイド装置１５の進退ピン１５−１（図２）を前進させた後、給電端子４１からの電源供給を終える。
【００４１】
かかる構成によれば、電源供給が終わった段階で、コイン回収トレイは、物理キーを使った開錠が不能になり、物理キーを保管・管理している担当者と雖もコイン回収トレイを勝手に開け閉めできなくなる。コイン回収トレイの施錠状態を解除するには、給電端子４１から電源を供給するとともに、データ送出部３５が外部装置６０に対してデータ送出を行う必要があるからである。データ送出部３５が外部装置６０に対してデータ送出を行っていない限り、初期化部５２を介したソレノイド装置１５の駆動は行われないため、物理キーだけではロック片１４を開錠動作させることはできない。
【００４２】
このため、コインロッカー自体が電源をもっていない簡易なものであっても、コインの抜き取りは不能になり、不正行為を確実に防止できる。
【００４３】
なお、本考案に係るコイン回収トレイは前記実施形態のものに限定されない。例えば、計量センサ装置はロードセル式に限らず、電磁式、音叉式などの計量センサを用いても良い。コイン回収トレイを物理キーによって施錠するロック装置は、電気式以外のもの（物理的鍵）であれば鍵のタイプを限定されない。
【符号の説明】
【００４４】
４  鍵穴
１１  ロック装置
１３  キーシリンダー
１４  ロック片（閂）
１５  ソレノイド装置
１５−１  進退ピン
２０  トレイ本体
２１  係合部
２２  底面
２３  端縁
２４  水平面
３０  計量センサ装置
３０−１  ロードセル
３０−２  計量部
３５  データ送出部
４１  給電端子
４４  データ用端子
５０  ホスト装置確認部
５２  初期化部
６０  外部装置
Ｋ  本体ケース
Ｑ  箱受
Ｖ  電子部品類
【図１】
0003178358.tif 000003
【図２】
0003178358.tif 000004
【図３】
0003178358.tif 000005
【図４】
0003178358.tif 000006